(57)【要約】【課題】多重装置の消費電力を削減する。【解決手段】ＣＰＲＩ多重装置１００は、３チャンネルのＣＰＲＩ信号の伝送速度を検出する伝送速度検出部と、３チャンネルのＣＰＲＩ信号の一部または全部を時分割多重して出力可能な時分割多重部１６と、時分割多重部１６からの信号を光信号に変換する、波長の異なる３個のネットワーク側光モジュール１８と、伝送速度検出部で検出されたＣＰＲＩ信号の伝送速度ＴＲｓと、ネットワーク側光モジュール１８の送信可能な伝送速度ＴＲｍａｘとに基づいて時分割多重部１６の時分割多重処理を制御し、時分割多重処理後の信号を出力するネットワーク側光モジュール１８を決定し、信号の出力先に決定した以外のネットワーク側光モジュール１８への通電を遮断する多重側制御部２２と、ネットワーク側光モジュール１８からの光信号を合波する波長多重部２０とを備える。【選択図】図３
2016048823.tif 000002
【特許請求の範囲】
【請求項１】
複数の信号を多重化する多重装置であって、
前記複数の信号の伝送速度を検出する伝送速度検出部と、
前記複数の信号の一部または全部を時分割多重して出力可能な時分割多重部と、
前記時分割多重部からの信号を光信号に変換する、波長の異なる複数の光送信部と、
前記伝送速度検出部で検出された信号の伝送速度と、前記光送信部の送信可能な伝送速度とに基づいて前記時分割多重部の時分割多重処理を制御し、時分割多重処理後の信号を出力する光送信部を決定し、信号の出力先に決定した以外の光送信部への通電を遮断する多重側制御部と、
前記光送信部からの光信号を合波する波長多重部と、
を備えることを特徴とする多重装置。
【請求項２】
前記多重側制御部は、時分割多重後の伝送速度が前記光送信部の送信可能な伝送速度以下となるように、前記複数の信号の一部または全部を時分割多重するよう前記時分割多重部を制御することを特徴とする請求項１に記載の多重装置。
【請求項３】
前記多重側制御部は、時分割多重後の伝送速度が前記光送信部の送信可能な伝送速度以下となる信号の組み合わせが存在しない場合、時分割多重を行わずに前記複数の信号を前記複数の光送信部に出力するよう前記時分割多重部を制御することを特徴とする請求項２に記載の多重装置。
【請求項４】
前記多重側制御部は、前記光送信部の異常を検出した場合、時分割多重処理後の信号を別の正常な前記光送信部に出力するよう前記時分割多重部を制御することを特徴とする請求項１から３のいずれかに記載の多重装置。
【請求項５】
時分割多重部は、信号出力先の光送信部を識別するための識別情報を、該信号に組み込むことを特徴とする請求項１から４のいずれかに記載の多重装置。
【請求項６】
請求項５に記載の多重装置から送信された波長多重光信号を複数の信号に多重分離する多重分離装置であって、
波長多重光信号を分波する波長分離部と、
前記波長分離部で分離された光信号を電気信号に変換する複数の光受信部と、
前記光受信部からの信号を時分割多重分離する時分割多重分離部と、
前記多重装置からの信号に組み込まれた前記識別情報に基づいて、前記多重装置で通電が遮断されている光送信部に対向する光受信部への通電を遮断する多重分離側制御部と、
を備えることを特徴とする多重分離装置。
【請求項７】
請求項１から５のいずれかに記載の多重装置と、請求項６に記載の多重分離装置とを備えることを特徴とする多重伝送システム。
【発明の詳細な説明】
【技術分野】
【０００１】
本発明は、複数の信号を多重して伝送する多重化伝送方式に関し、特にＣＰＲＩ(Common Public Radio Interface)信号の多重伝送方式に関する。
【背景技術】
【０００２】
通信事業者の局舎から携帯基地局までを伝送するモバイルフロントネットワークでは、局舎から基地局までＣＰＲＩ信号の３チャンネルまたは６チャンネルを一組として運用している。これは、基地局のアンテナがカバーするエリアを１２０度ずつに３分割または６分割しているためである。ＣＰＲＩ信号は、１チャンネルにつき光ファイバ１本が必要であるが、光ファイバのコストがかかるため、ＣＰＲＩ信号を多重して伝送する装置が考案されている。ＣＰＲＩ信号は遅延時間の制約が大きいため、多重方式としてはＷＤＭ（Wavelength Division Multiplexing）が一般的である。
【０００３】
図１は、従来のＣＰＲＩ多重伝送システムの一例を示す。図１に示すＣＰＲＩ多重伝送システム５００は、ＣＰＲＩ多重装置５１０と、ＣＰＲＩ多重分離装置５２０と、ＣＰＲＩ多重装置５１０とＣＰＲＩ多重分離装置５２０とを接続する光ファイバ５３０とを備える。
【０００４】
ＣＰＲＩ多重装置５１０は、入力された３チャンネルのＣＰＲＩ信号を多重し、光ファイバ５３０に出力する。ＣＰＲＩ多重装置５１０は、第１〜第３光モジュール５１２＿１〜５１２＿３と、波長多重部５１４とを備える。第１〜第３光モジュール５１２＿１〜５１２＿３には、それぞれ１チャンネルのＣＰＲＩ信号が入力される。第１〜第３光モジュール５１２＿１〜５１２＿３は、それぞれ、入力されたＣＰＲＩ信号を互いに異なる波長の光信号に変換し、波長多重部５１４に出力する。波長多重部５１４は、第１〜第３光モジュール５１２＿１〜５１２＿３からの３波長の光信号を合波し、光ファイバ５３０に出力する。
【０００５】
ＣＰＲＩ多重分離装置５２０は、光ファイバ５３０を介して受信した波長多重光信号を３チャンネルのＣＰＲＩ信号に多重分離する。ＣＰＲＩ多重分離装置５２０は、波長分離部５２２と、第１〜第３光モジュール５２４＿１〜５２４＿３とを備える。波長分離部５２２は、波長多重光信号を３波長の光信号に分波し、それぞれを第１〜第３光モジュール５２４＿１〜５２４＿３に出力する。第１〜第３光モジュール５２４＿１〜５２４＿３は、それぞれ、入力された光信号を電気のＣＰＲＩ信号に変換して出力する。
【先行技術文献】
【特許文献】
【０００６】
【特許文献１】特開２０１４−１１０５７４号公報
【発明の概要】
【発明が解決しようとする課題】
【０００７】
ＣＰＲＩ信号には、規格(CPRI Specification V5.0)で決められた６１４．４Ｍｂｐｓ〜９８３０．４Ｍｂｐｓの７種類の信号速度がある。上記のような構成のＣＰＲＩ多重伝送システム５００では、高速なＣＰＲＩ信号に対応するために高速な信号を送受信可能な光モジュール（例えば伝送速度１０Ｇｂｐｓの信号を送受信可能な光モジュール）を採用すると、低速なＣＰＲＩ信号（例えば伝送速度２．４Ｇｂｐｓの信号）が入力された場合に光モジュールの帯域を十分に使用できていない状態となり、無駄な消費電力が発生する。
【０００８】
本発明はこうした状況に鑑みてなされたものであり、その目的は、消費電力を削減することのできる多重装置、多重分離装置および多重伝送システムを提供することにある。
【課題を解決するための手段】
【０００９】
上記課題を解決するために、本発明のある態様の多重装置は、複数の信号を多重化する多重装置であって、複数の信号の伝送速度を検出する伝送速度検出部と、複数の信号の一部または全部を時分割多重して出力可能な時分割多重部と、時分割多重部からの信号を光信号に変換する、波長の異なる複数の光送信部と、伝送速度検出部で検出された信号の伝送速度と、光送信部の送信可能な伝送速度とに基づいて時分割多重部の時分割多重処理を制御し、時分割多重処理後の信号を出力する光送信部を決定し、信号の出力先に決定した以外の光送信部への通電を遮断する多重側制御部と、光送信部からの光信号を合波する波長多重部とを備える。
【００１０】
本発明の別の態様は、上述の多重装置から送信された波長多重光信号を複数の信号に多重分離する多重分離装置である。この装置は、波長多重光信号を分波する波長分離部と、波長分離部で分離された光信号を電気信号に変換する複数の光受信部と、光受信部からの信号を時分割多重分離する時分割多重分離部と、多重装置からの信号に組み込まれた識別情報に基づいて、多重装置で通電が遮断されている光送信部に対向する光受信部への通電を遮断する多重分離側制御部とを備える。
【００１１】
本発明のさらに別の態様は、上述の多重装置と、上述の多重分離装置とを備える多重伝送システムである。
【００１２】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１３】
本発明によれば、消費電力を削減することのできる多重装置、多重分離装置および多重伝送システムを提供できる。
【図面の簡単な説明】
【００１４】
【図１】従来のＣＰＲＩ多重伝送システムの一例を示す図である。
【図２】本発明の実施形態に係るＣＰＲＩ多重伝送システムの構成を示す図である。
【図３】本発明の実施形態に係るＣＰＲＩ多重装置の構成を示す図である。
【図４】本発明の実施形態に係るＣＰＲＩ多重分離装置の構成を示す図である。
【図５】本発明の実施形態に係るＣＰＲＩ多重伝送システムの動作例を説明するための図である。
【図６】本発明の実施形態に係るＣＰＲＩ多重伝送システムの別の動作例を説明するための図である。
【図７】本発明の実施形態に係るＣＰＲＩ多重伝送システムのさらに別の動作例を説明するための図である。
【図８】本発明の実施形態に係るＣＰＲＩ多重伝送システムのさらに別の動作例を説明するための図である。
【発明を実施するための形態】
【００１５】
図２は、本発明の実施形態に係るＣＰＲＩ多重伝送システム３００の構成を示す図である。図２に示すＣＰＲＩ多重伝送システム３００は、ＣＰＲＩ多重装置１００と、ＣＰＲＩ多重分離装置２００と、ＣＰＲＩ多重装置１００とＣＰＲＩ多重分離装置２００とを接続する光ファイバ４００とを備える。ここでは一例として３チャンネルのＣＰＲＩ信号を多重して伝送する伝送システムについて説明するが、チャンネル数は特に限定されず、Ｎチャンネル（Ｎは２以上の整数）のＣＰＲＩ信号を多重して伝送するＣＰＲＩ多重伝送システムに本発明を適用することができる。
【００１６】
図３は、本発明の実施形態に係るＣＰＲＩ多重装置１００の構成を示す図である。ＣＰＲＩ多重装置１００は、クライアント側から入力された３チャンネル（第１〜第３チャンネルＣＨ１〜ＣＨ３）のＣＰＲＩ光信号を多重してネットワーク側（すなわち光ファイバ４００）に送出する。本実施形態において、第１〜第３チャンネルＣＨ１〜ＣＨ３のＣＰＲＩ光信号の伝送速度は等しい。
【００１７】
図３に示すように、ＣＰＲＩ多重装置１００は、第１〜第３クライアント側光モジュール１２＿１〜１２＿３と、第１〜第３伝送速度検出部１４＿１〜１４＿３と、時分割多重部１６と、第１〜第３ネットワーク側光モジュール１８＿１〜１８＿３と、波長多重部２０と、多重側制御部２２とを備える。
【００１８】
第１チャンネルＣＨ１〜第３チャンネルＣＨ３のＣＰＲＩ光信号は、それぞれ、第１〜第３クライアント側光モジュール１２＿１〜１２＿３に入力される。第１〜第３クライアント側光モジュール１２＿１〜１２＿３は、それぞれ、入力された光信号を電気のＣＰＲＩ信号に変換し、第１〜第３伝送速度検出部１４＿１〜１４＿３に出力する。
【００１９】
第１〜第３伝送速度検出部１４＿１〜１４＿３は、それぞれ、入力された第１〜第３チャンネルＣＨ１〜ＣＨ３のＣＰＲＩ信号の伝送速度を検出する。第１〜第３チャンネルＣＨ１〜ＣＨ３）のＣＰＲＩ光信号で検出されたＣＰＲＩ信号の伝送速度ＴＲｓは、多重側制御部２２に送られる。
【００２０】
第１〜第３伝送速度検出部１４＿１〜１４＿３から出力された第１〜第３チャンネルＣＨ１〜ＣＨ３のＣＰＲＩ信号は、時分割多重部１６に入力される。時分割多重部１６は、第１〜第３チャンネルＣＨ１〜ＣＨ３のＣＰＲＩ信号の一部または全部を時分割多重（ＴＤＭ：time division multiplexing）して出力可能に構成される。時分割多重部１６の時分割多重処理（すなわち、３チャンネルのうちどのＣＰＲＩ信号を多重して出力するか、あるいは多重化を行わずに出力するか等）は、多重側制御部２２により制御される。
【００２１】
時分割多重部１６の後段には、第１〜第３ネットワーク側光モジュール１８＿１〜１８＿３が設けられている。時分割多重部１６は、時分割多重処理後の信号（すなわち、多重化されたＣＰＲＩ信号、多重化されなかったＣＰＲＩ信号など）を、第１〜第３ネットワーク側光モジュール１８＿１〜１８＿３のいずれかに出力する。この時分割多重処理後の信号の出力先、すなわち時分割多重処理後の信号をどのネットワーク側光モジュールに出力するかは、多重側制御部２２により決定および制御される。時分割多重部１６は、多重側制御部２２から時分割多重処理後の信号の出力先を指示された場合、該出力先のネットワーク側光モジュールを識別するための光モジュール識別情報を該信号に組み込む。この光モジュール識別情報は、例えば該信号のヘッダに組み込まれてもよい。
【００２２】
第１〜第３ネットワーク側光モジュール１８＿１〜１８＿３は、時分割多重部１６から入力された信号を光信号に変換する。第１〜第３ネットワーク側光モジュール１８＿１〜１８＿３は、互いに異なる波長λ１〜λ３の光信号を出力可能に構成される。
【００２３】
波長多重部２０は、第１〜第３ネットワーク側光モジュール１８＿１〜１８＿３から入力された光信号を合波して波長多重光信号を生成し、光ファイバ４００に送出する。
【００２４】
多重側制御部２２は、上述したように、時分割多重部１６の時分割多重処理を制御する。本実施形態に係る多重側制御部２２は、後段に接続された第１〜第３ネットワーク側光モジュール１８＿１〜１８＿３が送信可能な伝送速度ＴＲｍａｘの情報を予め保持している。多重側制御部２２は、第１〜第３伝送速度検出部１４＿１〜１４＿３で検出されたＣＰＲＩ信号の伝送速度ＴＲｓと、第１〜第３ネットワーク側光モジュール１８＿１〜１８＿３が送信可能な伝送速度ＴＲｍａｘとに基づいて、時分割多重部１６の時分割多重処理を制御する。
【００２５】
具体的には、多重側制御部２２は、時分割多重後の伝送速度ＴＲｔｄｍが伝送速度ＴＲｍａｘ以下となるように３チャンネルの信号の一部または全部を時分割多重するよう時分割多重部１６を制御する。また、多重側制御部２２は、時分割多重後の伝送速度ＴＲｔｄｍが伝送速度ＴＲｍａｘ以下となるＣＰＲＩ信号の組み合わせが存在しない場合、時分割多重を行わずに入力された複数のＣＰＲＩ信号を第１〜第３ネットワーク側光モジュール１８＿１〜１８＿３に出力するよう時分割多重部１６を制御する。
【００２６】
また、本実施形態に係る多重側制御部２２は、時分割多重処理後の信号の出力先を制御する。本実施形態において、多重側制御部２２は、第１〜第３ネットワーク側光モジュール１８＿１〜１８＿３の異常を検出可能に構成されている。全てのネットワーク側光モジュールが正常である場合、多重側制御部２２は、任意のネットワーク側光モジュールを信号の出力先に決定する。一方、ネットワーク側光モジュールの異常を検出した場合、多重側制御部２２は、異常を検出したネットワーク側光モジュール以外の正常なネットワーク側光モジュールを信号の出力先に決定する。
【００２７】
さらに、本実施形態に係る多重側制御部２２は、第１〜第３ネットワーク側光モジュール１８＿１〜１８＿３への通電を個別に制御可能に構成されている。多重側制御部２２は、時分割多重処理後の信号の出力先に決定したネットワーク側光モジュール以外のネットワーク側光モジュールへの通電を遮断する。
【００２８】
本実施形態に係るＣＰＲＩ多重装置１００によれば、使用するネットワーク側光モジュール１８の数を必要最小限にとどめ、使用しないネットワーク側光モジュール１８への通電を遮断することで消費電力の削減を図ることができる。
【００２９】
図４は、本発明の実施形態に係るＣＰＲＩ多重分離装置２００の構成を示す図である。ＣＰＲＩ多重分離装置２００は、ＣＰＲＩ多重装置１００から送信された波長多重光信号を複数のＣＰＲＩ信号に多重分離する。
【００３０】
図４に示すように、ＣＰＲＩ多重分離装置２００は、波長分離部３０と、第１〜第３ネットワーク側光モジュール３２＿１〜３２＿３と、時分割多重分離部３４と、第１〜第３クライアント側光モジュール３６＿１〜３６＿３と、多重分離側制御部３８とを備える。
【００３１】
波長分離部３０は、光ファイバ４００を介して受信した波長多重光信号を波長λ１〜λ３の光信号に分波する。波長λ１〜λ３の光信号はそれぞれ、第１〜第３ネットワーク側光モジュール３２＿１〜３２＿３に入力される。第１〜第３ネットワーク側光モジュール３２＿１〜３２＿３は、それぞれ、ＣＰＲＩ多重装置１００の第１〜第３ネットワーク側光モジュール１８＿１〜１８＿３に対向しており、受信した波長λ１〜λ３の光信号を電気信号に変換する。
【００３２】
時分割多重分離部３４は、第１〜第３ネットワーク側光モジュール３２＿１〜３２＿３からの信号を３チャンネルのＣＰＲＩ信号に時分割多重分離する。３チャンネルのＣＰＲＩ信号は、第１〜第３クライアント側光モジュール３６＿１〜３６＿３に入力される。第１〜第３クライアント側光モジュール３６＿１〜３６＿３は、入力された３チャンネルのＣＰＲＩ信号を光信号に変換し、クライアント側に送出する。
【００３３】
また、時分割多重分離部３４は、第１〜第３ネットワーク側光モジュール３２＿１〜３２＿３から入力された信号に組み込まれた光モジュール識別情報を読み取り、多重分離側制御部３８に通知する。
【００３４】
多重分離側制御部３８は、時分割多重分離部３４から通知された光モジュール識別情報に基づいて、ＣＰＲＩ多重装置１００において使用されている（すなわち通電されている）ネットワーク側光モジュール１８と使用されていない（すなわち通電が遮断されている）ネットワーク側光モジュール１８を認識する。そして、多重分離側制御部３８は、ＣＰＲＩ多重装置１００において通電が遮断されているネットワーク側光モジュール１８に対向するネットワーク側光モジュール３２への通電を遮断する。例えば、ＣＰＲＩ多重装置１００において第２ネットワーク側光モジュール１８＿２への通電が遮断されている場合、多重分離側制御部３８は、第２ネットワーク側光モジュール１８＿２に対向する第２ネットワーク側光モジュール３２＿２への通電を遮断する。
【００３５】
本実施形態に係るＣＰＲＩ多重分離装置２００によれば、使用するネットワーク側光モジュール３２の数を最小限にとどめ、使用しないネットワーク側光モジュール３２への通電を遮断することで消費電力の削減を図ることができる。
【００３６】
図５は、本発明の実施形態に係るＣＰＲＩ多重伝送システム３００の動作例を説明するための図である。図５では、ＣＰＲＩ信号の伝送速度ＴＲｓ＝２．４Ｇｂｐｓ、ネットワーク側光モジュールの送信可能な伝送速度ＴＲｍａｘ＝１０Ｇｂｐｓである場合について説明する。
【００３７】
この場合、３チャンネルのＣＰＲＩ信号を時分割多重後の伝送速度ＴＲｔｄｍは、ＴＲｔｄｍ＝２．４Ｇｂｐｓ×３＝７．２Ｇｐｓとなる。ＴＲｔｄｍ＝７．２Ｇｂｐｓ＜ＴＲｍａｘ＝１０Ｇｂｐｓとなるため、多重側制御部は、３チャンネル全てのＣＰＲＩ信号を時分割多重し、１つのネットワーク側光モジュール（ここでは第１ネットワーク側光モジュール１８＿１）に出力するよう時分割多重部１６を制御する。また、時分割多重部は、時分割多重信号に光モジュール識別情報として「第１ネットワーク側光モジュール」を組み込む。
【００３８】
また、多重側制御部２２は、時分割多重処理後の時分割多重信号の出力先に決定した第１ネットワーク側光モジュール１８＿１以外のネットワーク側光モジュール（すなわち、第２ネットワーク側光モジュール１８＿２および第３ネットワーク側光モジュール１８＿３）への通電を遮断する。すなわち、第２ネットワーク側光モジュール１８＿２および第３ネットワーク側光モジュール１８＿３の電源がＯＦＦ状態にされる。これにより、第２ネットワーク側光モジュール１８＿２および第３ネットワーク側光モジュール１８＿３からは光信号が出力されず、波長多重部２０には第１ネットワーク側光モジュール１８＿１からの波長λ１の光信号のみが入力される。
【００３９】
このように本動作例では、３チャンネルのＣＰＲＩ信号を時分割多重して１つにまとめ、１つのネットワーク側光モジュール１８から送信している。また、他の使用しないネットワーク側光モジュール１８については通電を遮断している。これにより、ＣＰＲＩ多重装置１００の消費電力を削減することができる。
【００４０】
光ファイバ４００を介してＣＰＲＩ多重分離装置２００で受信された波長λ１の光信号は、波長分離部３０を通って第１ネットワーク側光モジュール３２＿１に入力され、電気の時分割多重信号に変換される。この時分割多重信号は、時分割多重分離部３４で３チャンネルのＣＰＲＩ信号に時分割多重分離される。３チャンネルのＣＰＲＩ信号は、第１〜第３クライアント側光モジュール３６＿１〜３６＿３で光信号に変換され、クライアント側に送出される。
【００４１】
多重分離側制御部は、時分割多重分離部３４で読み取られた光モジュール識別情報「第１ネットワーク側光モジュール」に基づいて、ＣＰＲＩ多重装置１００において第２ネットワーク側光モジュール１８＿２および第３ネットワーク側光モジュール１８＿３への通電が遮断されていることを認識する。そして、第２ネットワーク側光モジュール１８＿２および第３ネットワーク側光モジュール１８＿３に対向する第２ネットワーク側光モジュール３２＿２および第３ネットワーク側光モジュール３２＿３への通電を遮断する。すなわち、第２ネットワーク側光モジュール３２＿２および第３ネットワーク側光モジュール３２＿３の電源がＯＦＦ状態にされる。
【００４２】
このように本動作例では、ＣＰＲＩ多重装置１００から通知された光モジュール識別情報に基づいて、ＣＰＲＩ多重装置１００で使用していないネットワーク側光モジュール１８を認識し、該ネットワーク側光モジュール１８に対向するネットワーク側光モジュール３２への通電を遮断している。これにより、ＣＰＲＩ多重分離装置２００の消費電力を削減することができる。
【００４３】
図６は、本発明の実施形態に係るＣＰＲＩ多重伝送システム３００の別の動作例を説明するための図である。図６では、ＣＰＲＩ信号の伝送速度ＴＲｓ＝４．９Ｇｂｐｓ、ネットワーク側光モジュールの送信可能な伝送速度ＴＲｍａｘ＝１０Ｇｂｐｓである場合について説明する。
【００４４】
この場合、２チャンネルのＣＰＲＩ信号を時分割多重後の伝送速度ＴＲｔｄｍは、ＴＲｔｄｍ＝４．９Ｇｂｐｓ×２＝９．８Ｇｐｓとなる。ＴＲｔｄｍ＝９．８Ｇｂｐｓ＜ＴＲｍａｘ＝１０Ｇｂｐｓとなるため、多重側制御部は、３チャンネル中２チャンネルのＣＰＲＩ信号を時分割多重し、１つのネットワーク側光モジュール（ここでは第１ネットワーク側光モジュール１８＿１）に出力するよう時分割多重部１６を制御する。時分割多重部は、２チャンネルの時分割多重信号に光モジュール識別情報として「第１ネットワーク側光モジュール」を組み込む。また、多重側制御部２２は、３チャンネル中残りの１チャンネルのＣＰＲＩ信号を別の１つの１つのネットワーク側光モジュール（ここでは第３ネットワーク側光モジュール１８＿３）に出力するよう時分割多重部を制御する。時分割多重部は、残りの１チャンネルのＣＰＲＩ信号に光モジュール識別情報として「第３ネットワーク側光モジュール」を組み込む。
【００４５】
また、多重側制御部２２は、時分割多重処理後の時分割多重信号の出力先に決定したネットワーク側光モジュール１８以外のネットワーク側光モジュール（すなわち、第２ネットワーク側光モジュール１８＿２）への通電を遮断する。すなわち、第２ネットワーク側光モジュール１８＿２の電源がＯＦＦ状態にされる。これにより、第２ネットワーク側光モジュール１８＿２からは光信号が出力されず、波長多重部２０には第１ネットワーク側光モジュール１８＿１からの波長λ１の光信号と第３ネットワーク側光モジュール１８＿３からの波長λ３の光信号が入力される。これらの波長λ１およびλ３の光信号は、波長多重部２０で合波され、光ファイバ４００に送出される。
【００４６】
このように動作例では、３チャンネル中２チャンネルのＣＰＲＩ信号を時分割多重して１つにまとめ、第１ネットワーク側光モジュール１８＿１から送信している。また、３チャンネル中残りの１チャンネルのＣＰＲＩ信号を別の第３ネットワーク側光モジュール１８＿３から送信している。他の使用しない第２ネットワーク側光モジュール１８＿２については通電を遮断している。これにより、ＣＰＲＩ多重装置１００の消費電力を削減することができる。
【００４７】
光ファイバ４００を介してＣＰＲＩ多重分離装置２００で受信された波長多重光信号は、波長分離部３０で波長λ１とλ３の光信号に分波される。波長λ１およびλ３の光信号は、それぞれ第１ネットワーク側光モジュール３２＿１および第３ネットワーク側光モジュール３２＿３に入力され、電気信号に変換される。
【００４８】
第１ネットワーク側光モジュール３２＿１から出力される時分割多重信号は、時分割多重分離部３４で２チャンネルのＣＰＲＩ信号に時分割多重分離される。この２チャンネルのＣＰＲＩ信号と残りの１チャンネルのＣＰＲＩ信号は、第１〜第３クライアント側光モジュール３６＿１〜３６＿３で光信号に変換され、クライアント側に送出される。
【００４９】
多重分離側制御部は、時分割多重分離部３４で読み取られた光モジュール識別情報「第１ネットワーク側光モジュール」および「第３ネットワーク側光モジュール」に基づいて、ＣＰＲＩ多重装置１００において第２ネットワーク側光モジュール１８＿２への通電が遮断されていることを認識する。そして、第２ネットワーク側光モジュール１８＿２に対向する第２ネットワーク側光モジュール３２＿２への通電を遮断する。すなわち、第２ネットワーク側光モジュール３２＿２の電源がＯＦＦ状態にされる。
【００５０】
このように本動作例においても、ＣＰＲＩ多重装置１００で使用していないネットワーク側光モジュール１８に対向するネットワーク側光モジュール３２への通電を遮断している。これにより、ＣＰＲＩ多重分離装置２００の消費電力を削減することができる。
【００５１】
図７は、本発明の実施形態に係るＣＰＲＩ多重伝送システム３００のさらに別の動作例を説明するための図である。図７では、ＣＰＲＩ信号の伝送速度ＴＲｓ＝９．８Ｇｂｐｓ、ネットワーク側光モジュールの送信可能な伝送速度ＴＲｍａｘ＝１０Ｇｂｐｓである場合について説明する。
【００５２】
この場合、時分割多重後の伝送速度ＴＲｔｄｍが伝送速度ＴＲｍａｘ以下となるＣＰＲＩ信号の組み合わせは存在しない。従って、多重側制御部２２は、時分割多重を行わずに入力された３チャンネルのＣＰＲＩ信号を第１〜第３ネットワーク側光モジュール１８＿１〜１８＿３に出力するよう時分割多重部を制御する。時分割多重部は、３チャンネルのＣＰＲＩ信号それぞれに光モジュール識別情報を組み込む。
【００５３】
本動作例では、第１〜第３ネットワーク側光モジュール１８＿１〜１８＿３の全てに信号が出力されるため、ネットワーク側光モジュール１８の通電の遮断は行われない。第１〜第３ネットワーク側光モジュール１８＿１〜１８＿３から出力された波長λ１〜λ３の光信号は、波長多重部２０で合波され、光ファイバ４００に送出される。このように本実施形態に係るＣＰＲＩ多重装置１００によれば、ＣＰＲＩ信号の伝送速度ＴＲｓとネットワーク側光モジュール１８の伝送速度ＴＲｍａｘに応じて適宜最適な多重化を行うことができる。
【００５４】
光ファイバ４００を介してＣＰＲＩ多重分離装置２００で受信された波長多重光信号は、波長分離部３０で波長λ１〜λ３の光信号に分波される。波長λ１〜λ３の光信号は、それぞれ第１〜第３ネットワーク側光モジュール３２＿１〜３２＿３に入力され、電気信号に変換される。第１〜第３ネットワーク側光モジュール３２＿１〜３２＿３から出力された３チャンネルのＣＰＲＩ信号は、時分割多重分離部３４を通って第１〜第３クライアント側光モジュール３６＿１〜３６＿３に入力され、それぞれ光信号に変換されてクライアント側に送出される。
【００５５】
本動作例では、時分割多重分離部３４で読み取られた光モジュール識別情報に基づいて、ＣＰＲＩ多重装置１００において全てのネットワーク側光モジュール１８が使用されていることが認識される。従って、ネットワーク側光モジュール３２の通電の遮断は行われない。このように本実施形態に係るＣＰＲＩ多重分離装置２００によれば、ＣＰＲＩ多重装置１００でのネットワーク側光モジュール１８の使用状況に合わせて、適宜最適な多重分離化を行うことができる。
【００５６】
図８は、本発明の実施形態に係るＣＰＲＩ多重伝送システム３００のさらに別の動作例を説明するための図である。図８では、図５に示すようにＣＰＲＩ多重装置１００の第１ネットワーク側光モジュール１８＿１を用いて３チャンネルのＣＰＲＩ信号の時分割多重信号を送信しているときに、第１ネットワーク側光モジュール１８＿１に故障等の異常が発生した場合について説明する。
【００５７】
まず、ＣＰＲＩ多重装置１００の動作について説明する。多重側制御部は、第１ネットワーク側光モジュール１８＿１の異常を検出した場合、該第１ネットワーク側光モジュール１８＿１以外の正常なネットワーク側光モジュールを時分割多重信号の出力先に決定する。ここでは、第２ネットワーク側光モジュール１８＿２を時分割多重信号の出力先に決定している。また、時分割多重部は、時分割多重信号に光モジュール識別情報として「第２ネットワーク側光モジュール」を組み込む。このようにして、第２ネットワーク側光モジュール１８＿２から光信号が送信される。
【００５８】
次に、ＣＰＲＩ多重分離装置２００の動作について説明する。第１ネットワーク側光モジュール１８＿１に異常が発生した場合、ＣＰＲＩ多重分離装置２００の第１ネットワーク側光モジュール３２＿１は正常な光信号を受信できなくなる。この場合、多重分離側制御部は、一旦、通電を遮断していた第２ネットワーク側光モジュール３２＿２および第３ネットワーク側光モジュール３２＿３への通電を再開する。これにより、第２ネットワーク側光モジュール３２＿２で第２ネットワーク側光モジュール１８＿２からの光信号をできるようになる。多重分離側制御部は、受信した信号に組み込まれた光モジュール識別情報「第２ネットワーク側光モジュール」に基づいて、第１ネットワーク側光モジュール３２＿１と第３ネットワーク側光モジュール３２＿３への通電を遮断する。
【００５９】
このように、本実施形態に係るＣＰＲＩ多重伝送システム３００によれば、ＣＰＲＩ多重装置１００のネットワーク側光モジュール１８が故障した場合であっても、ＣＰＲＩ信号の伝送を継続することができるため、消費電力を削減できるとともに信頼性の高い多重伝送システムを実現することができる。
【００６０】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００６１】
１６  時分割多重部、  ２０  波長多重部、  ２２  多重側制御部、  ３０  波長分離部、  ３４  時分割多重分離部、  ３８  多重分離側制御部、  １００  ＣＰＲＩ多重装置、  ２００  ＣＰＲＩ多重分離装置、  ３００  ＣＰＲＩ多重伝送システム、  ４００  光ファイバ。
【図１】
2016048823.tif 000003
【図２】
2016048823.tif 000004
【図３】
2016048823.tif 000005
【図４】
2016048823.tif 000006
【図５】
2016048823.tif 000007
【図６】
2016048823.tif 000008
【図７】
2016048823.tif 000009
【図８】
2016048823.tif 000010